(57)【要約】【課題】  レバー駆動動作時においても操作部の摩擦や摩耗を抑制して動作寿命を延ばすことが可能なレバー駆動型電気部品を提供する。【解決手段】  収納部２ｅを有する筺体１、２と、この筺体１、２に一端が回動可能に保持された平板状の駆動レバー６と、筺体１、２内にスライド移動可能に保持され、筺体１、２から突出した操作部３が駆動レバー６の回動によって押圧駆動されるスライド部材４と、収納部２ｅ内に配設され、スライド部材４の移動により電気信号が出力される検出手段とを備え、駆動レバー６には、操作部３と当接する下面側に、駆動レバー６が回動する際、駆動レバー６の回動途上に渡って操作部３が押圧方向とは直交する方向へ傾くのを防止する、傾き防止規制部６ｅを形成した。【選択図】        図１
2006092996.tif 000002
【特許請求の範囲】
【請求項１】
収納部を有する筺体と、この筺体に一端が回動可能に保持された平板状の駆動レバーと、前記筺体内にスライド移動可能に保持され、前記筺体から突出した操作部が前記駆動レバーの回動によって押圧駆動されるスライド部材と、前記収納部内に配設され、前記スライド部材の移動により電気信号が出力される検出手段とを備え、前記駆動レバーには、前記操作部と当接する下面側に、前記駆動レバーが回動する際、該駆動レバーの回動途上に渡って前記操作部が押圧方向とは直交する方向へ傾くのを防止する、傾き防止規制部を形成したことを特徴とするレバー駆動型電気部品。
【請求項２】
前記傾き防止規制部は、前記駆動レバーの平面とは交差する方向へ傾斜する傾斜面で形成したことを特徴とする請求項１記載のレバー駆動型電気部品。
【請求項３】
前記傾き防止規制部は、平板状の前記駆動レバーをその途中で下方へ折り曲げることにより形成される傾斜面で形成したことを特徴とする請求項２記載のレバー駆動型電気部品。
【請求項４】
前記傾き防止規制部は、平板状の前記駆動レバーの途中を下方へ切り起こすことにより形成される傾斜面で形成したことを特徴とする請求項２記載のレバー駆動型電気部品。
【請求項５】
前記傾き防止規制部は、平板状の前記駆動レバーの途中を下方へ突き出すことにより形成される傾斜面で形成したことを特徴とする請求項２記載のレバー駆動型電気部品。
【請求項６】
前記傾き防止規制部を、円弧状の傾斜面で形成したことを特徴とする請求項２乃至５の何れかに記載のレバー駆動型電気部品。
【発明の詳細な説明】
【技術分野】
【０００１】
本発明は、駆動レバーでスライド部材を押圧操作して電気信号を検出するレバー駆動型電気部品に関する。
【背景技術】
【０００２】
従来のレバー駆動型電気部品の構造としては、マイクロスイッチや小型検出スイッチ等のように、ハウジングに回動可能に設けられた平板状のアクチュエータで、ハウジングから突出して設けられた操作部材を押圧して、接点等の切り換えを行なう構造のものが知られている（例えば、特許文献１参照）。
【０００３】
この従来のレバー駆動型電気部品の構造を図７に示す。図７は従来のレバー駆動型電気部品の断面図であり、同図において、３２は合成樹脂製のハウジングで、基板３５とカバー３７とから構成されている。基板３５には、金属板からなるコモン端子３４ｃと、一対の切換え端子３４ａ、３４ｂが並設して埋設されており、コモン端子３４ｃの先端には弾性を有する金属薄板からなるバネ接点４０が反転可能に係止されている。このバネ接点４０の自由端には可動接点４１が設けられ、前記一対の切換え端子３４ａ、３４ｂの固定接点４２、４２と接離可能に対向して配設されている。
【０００４】
また、カバー３７には、一端が前記バネ接点４０の上面に当接され、他端が外方に突出された合成樹脂製の操作部材３６が昇降可能に保持されており、この操作部材３６の突出した他端には、前記カバー３７に回動可能に軸支された金属板からなる平板状のアクチュエータ３３が当接されている。この場合、アクチュエータ３３と操作部材３６は前記バネ接点４０の弾発力でカバー３７の外方（上方）へ付勢されている。
【０００５】
このように構成された従来のレバー駆動型電気部品は、常時は可動接点４１と上側の固定接点４２が電気的に接続されているが、使用電子機器の駆動メカを介してアクチュエータ３３が下方に押されると、操作部材３６が下方に動くと共に一端がバネ接点４０を押すことによってバネ接点４０は節度感を伴って反転動作し、可動接点４１が上側の固定接点４２から下側の固定接点４２へと切り換わることによりスイッチの切り換えが行なわれるものとなる。
【０００６】
【特許文献１】実開平２−１１５２３１号公報
【発明の開示】
【発明が解決しようとする課題】
【０００７】
しかしながら、上述した従来のレバー駆動型電気部品においては、アクチュエータが操作部材の他端と、斜め方向から当接していることから、押し込んだ時に操作部材に傾きが発生するため、操作部材とカバーのガイド部に摩擦が生じ摩耗されるので、動作寿命が短くなってしまうという問題があった。
【０００８】
従って、本発明は上記した問題点を解決し、レバー駆動動作時においても操作部の摩擦や摩耗を抑制して動作寿命を延ばすことが可能なレバー駆動型電気部品を提供することを目的とする。
【課題を解決するための手段】
【０００９】
上記課題を解決するために本発明では第１の解決手段として、収納部を有する筺体と、この筺体に一端が回動可能に保持された平板状の駆動レバーと、前記筺体内にスライド移動可能に保持され、前記筺体から突出した操作部が前記駆動レバーの回動によって押圧駆動されるスライド部材と、前記収納部内に配設され、前記スライド部材の移動により電気信号が出力される検出手段とを備え、前記駆動レバーには、前記操作部と当接する下面側に、前記駆動レバーが回動する際、該駆動レバーの回動途上に渡って前記操作部が押圧方向とは直交する方向へ傾くのを防止する、傾き防止規制部を形成した構成とした。
【００１０】
また、第２の解決手段として、前記傾き防止規制部は、前記駆動レバーの平面とは交差する方向へ傾斜する傾斜面で形成した構成とした。
また、第３の解決手段として、前記傾き防止規制部は、平板状の前記駆動レバーをその途中で下方へ折り曲げることにより形成される傾斜面で形成した構成とした。
また、第４の解決手段として、前記傾き防止規制部は、平板状の前記駆動レバーの途中を下方へ切り起こすことにより形成される傾斜面で形成した構成とした。
また、第５の解決手段として、前記傾き防止規制部は、平板状の前記駆動レバーの途中を下方へ突き出すことにより形成される傾斜面で形成した構成とした。
また、第６の解決手段として、前記傾き防止規制部を、円弧状の傾斜面で形成した構成とした。
【発明の効果】
【００１１】
上述したように、本発明のレバー駆動型電気部品は、収納部を有する筺体と、この筺体に一端が回動可能に保持された平板状の駆動レバーと、筺体内にスライド移動可能に保持され、筺体から突出した操作部が駆動レバーの回動によって押圧駆動されるスライド部材と、収納部内に配設され、スライド部材の移動により電気信号が出力される検出手段とを備え、駆動レバーには、操作部と当接する下面側に、駆動レバーが回動する際、駆動レバーの回動途上に渡って操作部が押圧方向とは直交する方向へ傾くのを防止する、傾き防止規制部を形成したことから、傾き防止規制部によって、駆動レバーの回動時に、スライド部材の操作部が傾くのを防止できるので、操作部と操作部のガイド部の摩擦力の低下が図れるため、摩耗が抑制され、動作寿命の向上が図れる。
【００１２】
また、傾き防止規制部は、駆動レバーの平面とは交差する方向へ傾斜する傾斜面で形成したことから、傾斜面により操作部を逆方向へ押圧して傾きを補正するようにしたので、摩耗が抑制できる。
また、傾き防止規制部は、平板状の駆動レバーをその途中で下方へ折り曲げることにより形成される傾斜面で形成したことから、構成が簡単で、容易に傾斜面を形成できる。
また、傾き防止規制部は、平板状の駆動レバーの途中を下方へ切り起こすことにより形成される傾斜面で形成したことから、部品点数を増やすことなく、安価に動作寿命を延ばすことができる。
また、傾き防止規制部は、平板状の駆動レバーの途中を下方へ突き出すことにより形成される傾斜面で形成したことから、部品点数を増やすことなく、安価に動作寿命を延ばすことができる。
また、傾き防止規制部を、円弧状の傾斜面で形成したことから、駆動レバーの回動をスムーズに行なえ、良好な操作が可能となる。  
【発明を実施するための最良の形態】
【００１３】
以下、本発明の実施の形態を図１乃至図６に示す。図１は本発明のレバー駆動型電気部品を示す一部を破断した正面図、図２は本発明のレバー駆動型電気部品の動作状態を示す一部を破断した正面図、図３は本発明のレバー駆動型電気部品のリーフレバータイプの駆動レバーを示す正面図、図４は本発明のレバー駆動型電気部品の駆動レバーの変形例を示す正面図、図５は同じく駆動レバーの変形例を示す正面図、図６は同じく駆動レバーの変形例を示す正面図である。
【００１４】
図１において、本発明のレバー駆動型電気部品は、筺体を構成しているハウジング１及びケース２と、ケース２から突出して設けられた操作部３を有し、筺体内にスライド移動可能に収納されたスライド部材４と、このスライド部材４を突出方向へ付勢するコイルばね５と、一端が前記ケース２に回動可能に保持され、前記操作部３に当接し押圧操作する駆動レバー６と、駆動レバー６が回動されることにより操作部３、スライド部材４を介して駆動される検出手段（図示せず）とから主に構成されている。
【００１５】
筺体の一部を構成するハウジング１は、合成樹脂等の絶縁材からなり、外形が略矩形状に形成されている。また、ハウジング１には、導電性の金属板からなる複数の固定端子７が、インサート成形等の方法で一体に埋設されて配設されている。これらの固定端子７の一端側には、検出手段の一部を構成する複数の固定接点（図示せず）が形成されている。
【００１６】
筺体の一部を構成するケース２は、同じく合成樹脂等の絶縁材からなり、外形が略矩形状で、下面側が開口された箱型に形成されている。また、ケース２の上板部の一端側には、挿通孔２ａが設けられており、この挿通孔２ａにスライド部材４の操作部３が挿通されて上下移動可能に配設されている。また、前記挿通孔２ａの近傍のケース２の側板部には、貫通孔２ｃを有する取付片２ｂが設けられており、この取付片２ｂがネジ止めされることにより電気部品が図示しない電気機器の取付板等に取り付けられるものとなっている。
【００１７】
また、前記取付片２ｂの反対側に位置する、一対の対向する側板部の上端側には、支軸部２ｄが設けられており、この支軸部２ｄに駆動レバー６の一端が回動可能に保持されている。また、ケース２の開口内には収納部２ｅが設けられ、この収納部２ｅにスライド部材４、コイルばね５が収納されると共に、コイルばね５によりスライド部材４が上方に付勢されている。
【００１８】
スライド部材４は、合成樹脂等の絶縁材からなり、その一端側に円柱状の操作部３が突設されている。この操作部３は、前記挿通孔２ａに挿通される太径部３ａと、その先端の細径部３ｂとからなり、細径部３ｂの先端が駆動レバー６との当接面３ｃとなっている。また、操作部３と対向するスライド部材４の下面側には、ばね係止部４ａが設けられており、このばね係止部４ａに復帰用のコイルばね５の一端が係止され、コイルばね５の他端が、ケース２の開口部に嵌着される前記ハウジング１の上面に形成されたばね受け面１ａに係止されて、前記スライド部材４がケース２の収納部２ｅの上面側に付勢されている。
【００１９】
また、スライド部材４には、検出手段の一部を構成する、導電性の弾性を有する金属薄板で形成された可動接点（図示せず）が保持されており、この可動接点がスライド部材４の上下方向へのスライド移動に伴って、前記ハウジング１に配設された固定端子７の一端側に設けられた、検出手段の一部を構成する複数の固定接点（図示せず）と接離するものとなっている。
【００２０】
駆動レバー６は、金属板を打ち抜き、折り曲げることにより形成されており、長尺状のレバー部６ａと、このレバー部６ａの一端側に形成され、前記ケース２の支軸部２ｄに回動可能に保持される一対の保持片６ｂとを有している。また、レバー部６ａの他端側には下側へ折り曲げられたアクチュエータ部６ｃが設けられており、保持部６ｂとアクチュエータ部６ｃとの間には下方へ切り起こすことにより切起片６ｄが形成されている。この切起片６ｄには、前記レバー部６ａの平面とは交差する方向へ傾斜する傾斜面６ｅが形成されており、この傾斜面６ｅとレバー部６ａの下側平面が、前記操作部３の細径部３ｂの当接面３ｃと当接されている。
【００２１】
次に、上記構成のレバー駆動型電気部品の動作を図２に基づいて説明する。
先ず、図１に示す初期の状態、すなわち、駆動レバー６が操作されていない状態においては、スライド部材４はコイルばね５の付勢力で上方へ付勢されており、操作部３はケース２から突出している。この状態では、図示しない検出手段である可動接点は複数の固定接点（例えば３個）の内、特定の２個と接続されてある信号（例えば正電圧信号）が出力されている。
【００２２】
次に、駆動レバー６が、図示しない電子機器の駆動メカなどによって、回動操作されると、図２に示すように、レバー部６ａの下面平面と切起片６ｄの傾斜面６ｅとによって操作部３の当接面３ｃが押圧され、コイルバネ５の付勢力に抗して操作部３とスライド部材４が下方へスライド移動されるものとなる。そして、図示しない検出手段である可動接点は、接続された２個から接続されていない１個へと切り換わり、３個の固定接点の内、特定の２個と接続されてある信号（例えば負電圧信号）が出力されるものとなる。
【００２３】
この時、前記駆動レバー６が回動操作され、操作部３が押圧（押し込み）操作される際に、レバー部６ａの下面平面と操作部３の当接面３ｃ（図示左側）が斜め方向から当接していることから、駆動レバー６が回動されると、操作部３が傾くような力が発生し、その反力が操作部３の太径部３ａとケース２の挿通孔２ａに加わるため、操作部３と挿通孔２ａに摩擦が生じ摩耗が発生する虞があるが、上記実施例においては、前記レバー部６ａに切起片６ｄを設け、この切起片６ｄにレバー部６ａの平面とは交差する方向へ傾斜する傾斜面６ｅを形成したことから、この傾斜面６ｅによって操作部３の傾きが抑制されるので、操作部３と挿通孔２ａとの摩擦力も抑制され、摩耗が抑えられるものとなっている。
すなわち、前記駆動レバー６が回動する際には、前記傾斜面６ｅが、駆動レバー６の回動途上に渡って、前記操作部３が押圧（押し込み）方向とは直交する方向へ傾くのを防止する、傾き防止規制部となっている。
【００２４】
この状態から、駆動レバー６への押圧力が解除されると、スライド部材４はコイルばね５の復帰力により上方へ復帰し、操作部３を介して駆動レバー６も初期の位置へ復帰するものとなり、検出手段も初期の状態の回路に切り換わるものとなる。
尚、上記実施例においては、検出手段としては、導電性の金属板や金属薄板からなる固定接点及び可動接点で構成したもので説明したが、これに限らず、磁気で検出するホール素子や、光で検出する光学素子を使用しても良い。
【００２５】
図３乃至図６は、本発明のレバー駆動型電気部品の駆動レバーの変形例を示している。
図３は、駆動レバー自体にばね性を持たせたリーフレバータイプの駆動レバー８を用いた構成を示している。この場合、駆動レバー８の一端側には前記ケース２の支軸部２ｄに回動可能に保持される一対の保持片を有しておらず、ケース２に係止されており、この係止部を支点として自身のばね性により撓んで操作部３を押圧操作するようになっている。この場合にも、レバー部８ａには傾き防止規制部としての切起片８ｂ及び傾斜面８ｃが同じように設けられている。
尚、他の同一構成部品については、同一符号を付してその説明を省略する。
【００２６】
図４は、駆動レバーの他端側のアクチュエータ部の構成を半円状の円弧面とした駆動レバー９を用いた構成を示している。この場合にも、レバー部９ａには傾き防止規制部としての切起片９ｂ及び傾斜面９ｃが同じように設けられている。
尚、他の同一構成部品については、同一符号を付してその説明を省略する。
【００２７】
図５は、平板状の駆動レバーをその途中で下方へ折り曲げることにより形成される傾斜面を有する駆動レバー１０を用いた構成を示している。この場合、駆動レバー１０のレバー部１０ａには、第１、第２の折曲部１０ｂ、１０ｄが設けられており、この第１、第２の折曲部１０ｂ、１０ｄの間の下面平面が傾斜面１０ｃを構成している。この場合にも、駆動レバー１０が回動する際には、傾斜面１０ｃが、駆動レバー１０の回動途上に渡って、操作部３が押圧（押し込み）方向とは直交する方向へ傾くのを防止する、傾き防止規制部となっている。
内、他の同一構成部品については、同一符号を付してその説明を省略する。
【００２８】
図６は、平板状の駆動レバーの途中を下方へ突き出すことにより形成される傾斜面を有する駆動レバー１１を用いた構成を示している。この場合、駆動レバー１１のレバー部１１ａには、Ｖ字状の下方に突出された突起部１１ｂが形成されており、この突起部１１ｂの下面平面の一方が傾斜面１１ｃを構成している。この場合にも、駆動レバー１１が回動する際には、傾斜面１１ｃが、駆動レバー１１の回動途上に渡って、操作部３が押圧（押し込み）方向とは直交する方向へ傾くのを防止する、傾き防止規制部となっている。
内、他の同一構成部品については、同一符号を付してその説明を省略する。
【００２９】
上記した本発明の実施例の構成によれば、駆動レバー６（８〜１１）には、操作部３と当接する下面側に、駆動レバー６（８〜１１）が回動する際、駆動レバー６（８〜１１）の回動途上に渡って操作部３が押圧方向とは直交する方向へ傾くのを防止する、傾き防止規制部である傾斜面６ｅ（８ｃ〜１１ｃ）を形成したことから、この傾き防止規制部によって、駆動レバー６（８〜１１）の回動時に、スライド部材４の操作部３が傾くのを防止できるので、操作部３と操作部３のガイド部であるケース２の挿通孔２ａとの摩擦力の低下が図れるため、摩耗が抑制され、動作寿命の向上が図れるものとなっている。
【００３０】
また、傾き防止規制部は、駆動レバー６（８〜１１）の平面とは交差する方向へ傾斜する傾斜面６ｅ（８ｃ〜１１ｃ）で形成したことから、この傾斜面６ｅ（８ｃ〜１１ｃ）により、操作部３を逆方向へ押圧して傾きを補正するようにしたので、摩耗が抑制できるものとなる。
尚、前記傾斜面６ｅ（８ｃ〜１１ｃ）を、円弧状の傾斜面で形成しても良く、このようにすれば、駆動レバー６（８〜１１）の回動をスムーズに行なえ、良好な操作が可能となる。
【図面の簡単な説明】
【００３１】
【図１】本発明のレバー駆動型電気部品を示す一部を破断した正面図である。
【図２】本発明のレバー駆動型電気部品の動作状態を示す一部を破断した正面図である。
【図３】本発明のレバー駆動型電気部品のリーフレバータイプの駆動レバーを示す正面図である。
【図４】本発明のレバー駆動型電気部品の駆動レバーの変形例を示す正面図である。
【図５】本発明の同じく駆動レバーの変形例を示す正面図である。
【図６】本発明の同じく駆動レバーの変形例を示す正面図である。
【図７】従来のレバー駆動型電気部品を示す断面図である。
【符号の説明】
【００３２】
１：ハウジング
１ａ：ばね受け部
２：ケース
２ａ：挿通孔
２ｂ：取付片
２ｃ：貫通孔
２ｄ：支軸部
２ｅ：収納部
３：操作部
３ａ：太径部
３ｂ：細径部
３ｃ：当接面
４：スライド部材
４ａ：ばね係止部
５：コイルばね
６：駆動レバー
６ａ：レバー部
６ｂ：保持片
６ｃ：アクチュエータ
６ｄ：切起片
６ｅ：傾斜面
７：固定端子
８：駆動レバー
８ａ：レバー部
８ｂ：切起片
８ｃ：傾斜面
９：駆動レバー
９ａ：レバー部
９ｂ：切起片
９ｃ：傾斜面
１０：駆動レバー
１０ａ：レバー部
１０ｂ：第１の折曲部
１０ｃ：傾斜面
１０ｄ：第２の折曲部
１１：駆動レバー
１１ａ：レバー部
１１ｂ：突起部
１１ｃ：傾斜面
【図１】
2006092996.tif 000003
【図２】
2006092996.tif 000004
【図３】
2006092996.tif 000005
【図４】
2006092996.tif 000006
【図５】
2006092996.tif 000007
【図６】
2006092996.tif 000008
【図７】
2006092996.tif 000009